(57)【要約】【課題】ブローバイガスなどのガスを吸入空気中に均一分散できると共にガス導入位置の自由度を高めた内燃機関のサージタンク内ガス導入装置。【解決手段】ガス導入口２４の上流側に下流に向かうにつれてサージタンク内壁から次第に剥離する吸入空気流誘導板１６が形成されている。このため吸入空気流誘導板１６より下の吸入空気流非影響空間から、上の吸入空気流空間へは両者の空間の境界面全体から穏やかな流れや拡散によりブローバイガスは偏ることなく吸入空気中に均一に分散して気筒側に供給される。吸入空気流誘導板１６の配置範囲も広く長さも任意であり、ガス導入口２４は吸入空気流誘導板１６の下流であれば良いことからガス導入位置の自由度が高い。こうして課題が達成される。【選択図】図３
2008069755.tif 000002
【特許請求の範囲】
【請求項１】
内燃機関の吸気系に設けられたサージタンク内の吸入空気中にガスを導入するサージタンク内ガス導入装置であって、
サージタンク内壁に開口するガス導入口よりも吸入空気流上流側にて、下流に向かうにつれてサージタンク内壁から次第に剥離する板状に形成された吸入空気流誘導板を備えたことを特徴とするサージタンク内ガス導入装置。
【請求項２】
請求項１において、前記吸入空気流誘導板は前記ガス導入口の上方に到達していることを特徴とするサージタンク内ガス導入装置。
【請求項３】
請求項１又は２において、サージタンクはカーブ状の吸入空気導入部を上流側に備え、前記吸入空気流誘導板は前記吸入空気導入部の下流端近傍におけるカーブ外周から略カーブ接線方向にサージタンク内空間に先端が飛び出した状態で形成されていることを特徴とするサージタンク内ガス導入装置。
【請求項４】
請求項１〜３のいずれかにおいて、前記ガス導入口はサージタンク内における吸入空気流の上流側のみ、又は上流から下流に渡って形成されていることを特徴とするサージタンク内ガス導入装置。
【請求項５】
請求項１〜４のいずれかにおいて、前記ガスは内燃機関のブローバイガス、内燃機関の排気、及び燃料タンクからの燃料蒸発に由来する燃料蒸気のいずれか１つ又は複数であることを特徴とするサージタンク内ガス導入装置。
【請求項６】
請求項１〜５のいずれかにおいて、サージタンクは複数のピースの接合体であり、前記吸入空気流誘導板と前記ガス導入口との位置関係が２つのピースを組み合わせて形成されていると共に、一方のピースには下流に向かうにつれて内壁から次第に剥離する前記吸入空気流誘導板を備え、他方のピースには前記一方のピースの内壁に当接又は近接することで前記ガス導入口が形成されるガス導入用仕切板を備えると共に、該ガス導入用仕切板が前記吸入空気流誘導板の下方に挿入されていることを特徴とするサージタンク内ガス導入装置。
【請求項７】
請求項６において、前記他方のピースは、複数気筒に吸入空気を分配する気筒供給口の配列方向のほぼ全長に渡って前記ガス導入用仕切板が形成され、前記ガス導入用仕切板より下方に外部からの前記ガスの供給を受けるガス供給口を形成していることを特徴とするサージタンク内ガス導入装置。
【請求項８】
請求項６又は７において、前記ピースは樹脂にて成形されていることを特徴とするサージタンク内ガス導入装置。
【発明の詳細な説明】
【技術分野】
【０００１】
本発明は、内燃機関の吸気系に設けられたサージタンク内の吸入空気中にガスを導入するサージタンク内ガス導入装置に関する。
【背景技術】
【０００２】
従来、ブローバイガスなどのガスを、サージタンクを介して気筒間で偏らないように各気筒に導入する装置が知られている（例えば特許文献１参照）。この特許文献１の技術ではブローバイガスのスロットルバルブ側への逆流や、各気筒への分配の偏りを防止するために、サージタンクの上流側に、スロットルボディーと同径の筒部とこの筒部の外側に大径の吸気管とを配置したガス還流装置を取り付けている。このガス還流装置の吸気管にガス還流管を接続することで、ブローバイガスの逆流を防止し、吸入空気中に均一にガス分散させて気筒間でのガスの偏りを防止している。
【特許文献１】特開平９−３１７５６９号公報（第３−４頁、図１〜４）
【発明の開示】
【発明が解決しようとする課題】
【０００３】
しかしエンジンルーム内におけるスペース上の制約のため、サージタンクの上流側にガス還流装置が取り付けられるとは限らない。又、ガス還流装置の取り付けが可能であったとしても、この位置にあるガス還流装置に対してブローバイガスを供給するガス還流管を配管できるスペースが確保できない場合がある。
【０００４】
このようにスロットルボディーとの関係により配置が制約されたガス還流装置では車両などで実際に適用できるとは限らない。適用するためには内燃機関の配置スペースを拡大する必要が生じ、車体重量化等の問題を生じる。
【０００５】
本発明は、ガスを吸入空気中に均一分散できると共にガス導入位置の自由度を高めたサージタンク内ガス導入装置の提供を目的とするものである。
【課題を解決するための手段】
【０００６】
以下、上記目的を達成するための手段及びその作用効果について記載する。
請求項１に記載のサージタンク内ガス導入装置は、内燃機関の吸気系に設けられたサージタンク内の吸入空気中にガスを導入するサージタンク内ガス導入装置であって、サージタンク内壁に開口するガス導入口よりも吸入空気流上流側にて、下流に向かうにつれてサージタンク内壁から次第に剥離する板状に形成された吸入空気流誘導板を備えたことを特徴とする。
【０００７】
このように吸入空気流誘導板は、下流に向かうにつれてサージタンク内壁から次第に剥離する板状に形成されたものである。このような形状であればサージタンク内の広い範囲で内壁に形成することが可能である。この形状によりガス導入口よりも上流側にてサージタンク内壁に吸入空気流誘導板を形成すれば、サージタンク内壁に沿って流れてくる吸入空気流をサージタンク内壁部分から浮き上がらせることができる。したがってガス導入口部分に直接、吸入空気流が接触することはないので、サージタンクに導入されたガスが十分に吸入空気に均一分散される前に吸入空気流にて運ばれる状況が生じることが無く、気筒間でガスの分配が偏ることがない。
【０００８】
ガス導入口から導入されたガスは、当初はサージタンク内において吸入空気流誘導板により生じた吸入空気流がない空間に導入されることになるので、吸入空気流がない空間から吸入空気流がある空間へは両者の空間の境界部分全体から穏やかな流れや拡散により移動する。すなわち導入ガスはガス導入口よりも広い範囲から吸入空気流の中に穏やかに分散してゆく。このため導入ガスが偏ることなく吸入空気に均一に分散して気筒側に供給される。このため気筒が複数であっても特定の気筒に導入ガスが偏ることがない。
【０００９】
吸入空気流誘導板の配置の自由度が高いと共に、ガス導入口についても吸入空気流誘導板の下流であれば良く、更に吸入空気流誘導板の長さも任意に選択できることから、ガス導入口の形成位置は広い範囲に配置できるのでガス導入位置の自由度が高い。
【００１０】
このことにより本発明のサージタンク内ガス導入装置は、ガスを吸入空気中に均一分散できると共にガス導入位置の自由度を高めることができる。
請求項２に記載のサージタンク内ガス導入装置では、請求項１において、前記吸入空気流誘導板は前記ガス導入口の上方に到達していることを特徴とする。
【００１１】
特に吸入空気流誘導板はガス導入口の上方に到達させることにより、より確実に吸入空気流がない空間をガス導入口の周辺に生じさせることができる。
請求項３に記載のサージタンク内ガス導入装置では、請求項１又は２において、サージタンクはカーブ状の吸入空気導入部を上流側に備え、前記吸入空気流誘導板は前記吸入空気導入部の下流端近傍におけるカーブ外周から略カーブ接線方向にサージタンク内空間に先端が飛び出した状態で形成されていることを特徴とする。
【００１２】
特にサージタンクの吸入空気導入部をカーブ状とした場合には、上述のごとく吸入空気流誘導板を形成することにより、サージタンク内壁に吸入空気流誘導板を設けても、吸入空気流の圧力損失を抑制した状態で、ガスを吸入空気中に均一分散できると共にガス導入位置の自由度を高めることができる。
【００１３】
請求項４に記載のサージタンク内ガス導入装置では、請求項１〜３のいずれかにおいて、前記ガス導入口はサージタンク内における吸入空気流の上流側のみ、又は上流から下流に渡って形成されていることを特徴とする。
【００１４】
ガス導入口は上述のごとく形成することにより、ガスが吸入空気中に、より均一に分散されるようになる。
請求項５に記載のサージタンク内ガス導入装置では、請求項１〜４のいずれかにおいて、前記ガスは内燃機関のブローバイガス、内燃機関の排気、及び燃料タンクからの燃料蒸発に由来する燃料蒸気のいずれか１つ又は複数であることを特徴とする。
【００１５】
このようなガスをサージタンク内の吸入空気中に導入するにおいて、ガスを吸入空気中に均一分散させると共にガス導入位置の自由度を高めることができる。
請求項６に記載のサージタンク内ガス導入装置では、請求項１〜５のいずれかにおいて、サージタンクは複数のピースの接合体であり、前記吸入空気流誘導板と前記ガス導入口との位置関係が２つのピースを組み合わせて形成されていると共に、一方のピースには下流に向かうにつれて内壁から次第に剥離する前記吸入空気流誘導板を備え、他方のピースには前記一方のピースの内壁に当接又は近接することで前記ガス導入口が形成されるガス導入用仕切板を備えると共に、該ガス導入用仕切板が前記吸入空気流誘導板の下方に挿入されていることを特徴とする。
【００１６】
このように吸入空気流誘導板とガス導入用仕切板とを別々のピースに形成したものを接合して一体化することにより、サージタンク内ガス導入装置が形成されているので、複雑な形状を単純なピースの組み合わせとして形成できる。したがってガスを吸入空気中に均一分散させると共にガス導入位置の自由度を高めたサージタンク内ガス導入装置が容易に製造できる。
【００１７】
特にガス導入用仕切板が相手ピースの内壁に近接したものである場合には、ガスはガス導入用仕切板の下からガス導入用仕切板に沿って形成されている相手ピースの内壁との間隙から少しずつ吸入空気流がある空間へ流れ込む。このガス導入用仕切板と相手ピースの内壁との間隙は吸入空気流誘導板の下方かつ下流にあり、吸入空気流は直接に接触しにくい位置にある。少なくとも吸入空気流誘導板に近い側（上流側）においては、上記間隙は吸入空気流に曝されることはない。このためガスは、ガス導入用仕切板に沿って少しずつ吸入空気流内へと流れ込み、穏やかに吸入空気流中に混合されてゆく。したがってこのガス導入用仕切板の下では、外部からのガスは上流から下流までのいずれの位置に外部から供給しても、ガスを吸入空気中に均一分散させることができ、ガス導入位置の自由度を高める効果がより顕著となる。
【００１８】
請求項７に記載のサージタンク内ガス導入装置では、請求項６において、前記他方のピースは、複数気筒に吸入空気を分配する気筒供給口の配列方向のほぼ全長に渡って前記ガス導入用仕切板が形成され、前記ガス導入用仕切板より下方に外部からの前記ガスの供給を受けるガス供給口を形成していることを特徴とする。
【００１９】
このように気筒供給口の配列方向のほぼ全長に渡ってガス導入用仕切板が形成されているので、ガス供給口の配置範囲を広範囲で選択でき、外部からのガス導入位置の自由度が非常に高い。
【００２０】
請求項８に記載のサージタンク内ガス導入装置では、請求項６又は７において、前記ピースは樹脂にて成形されていることを特徴とする。
このようにピースを樹脂にて成形することにより、サージタンク内ガス導入装置を備えたサージタンクを軽量なものとでき、更に射出成形などにより製造も容易となり、ピース同士の接合も容易である。
【発明を実施するための最良の形態】
【００２１】
［実施の形態１］
図１の斜視図に車両の内燃機関に用いられるインテークマニホールド２の外観を表す。図２，３はインテークマニホールド２に一体化されているサージタンク３を表す図面であり、図２は縦断面図、図３は横断面図である。
【００２２】
インテークマニホールド２は４つのピース４，６，８，１０から構成されている。これらのピース４〜１０はそれぞれ樹脂にて成形され、これらの各縁部に形成された接合部４ａ，６ａ，６ｂ，８ａ，８ｂ，１０ａにて振動溶着などの手法にて一体に接合されてサージタンク３を含めたインテークマニホールド２として形成されている。
【００２３】
インテークマニホールド２を第２ピース６と第３ピース８との間で分解し、開いた状態の図を図４の斜視図に示す。図４の(Ａ)が第１ピース４と第２ピース６との接合体であり、(Ｂ)が第３ピース８と第４ピース１０との接合体である。
【００２４】
インテークマニホールド２はその吸入空気導入部１２にて接続しているスロットルバルブから吸入空気を供給される。吸入空気導入部１２にてサージタンク内空間３ａに入った吸入空気（図２，３にて一点鎖線矢印で示す）は、サージタンク内空間３ａから各気筒（ここでは４気筒）の気筒供給口１３ａ，１３ｂ，１３ｃ，１３ｄに吸い込まれて、導出路１４ａ，１４ｂ，１４ｃ，１４ｄを介して各気筒に分配されている。
【００２５】
スロットルバルブに接続されている吸入空気導入部１２はカーブ状をなし、この吸入空気導入部１２の下流端近傍には、カーブ外周にて吸入空気流誘導板１６が、第３ピース８に一体に形成されている。吸入空気流誘導板１６はカーブ外周から略カーブ接線方向に形成されており、サージタンク内空間３ａに先端が飛び出した状態で形成されている。このことにより吸入空気流誘導板１６は、下流に向かうにつれてサージタンク３の内壁から次第に剥離する板状をなしている。
【００２６】
第２ピース６には第３ピース８側に向けて長尺状のガス導入用仕切板１８が形成され、側縁部１８ａは第３ピース８の内壁に接触間際まで近接している。このことにより、図２の縦断面図に示したごとくガス導入用仕切板１８の下部には、気筒供給口１３ａ〜１３ｄの配列方向のほぼ全長に渡って、ブローバイガスのガス導入路２０が形成されている。尚、ブローバイガスの導入パイプはＰＣＶユニオン２２に接続されて、ガス導入路２０に開口するガス供給口２２ａを介してブローバイガスをガス導入路２０内に供給する。
【００２７】
ガス導入用仕切板１８には矩形状の切り欠きが側縁部１８ａに形成されていることにより、第３ピース８の内壁へ近接配置すると、ガス導入路２０からサージタンク内空間３ａへブローバイガスを導入するためのガス導入口２４が形成される。このことによりＰＣＶユニオン２２から供給され、ガス導入路２０を通過してきたブローバイガスは図２，３にて破線矢印にて示すごとくガス導入口２４からサージタンク内空間３ａへと導入される。更にガス導入路２０内のブローバイガスは、ガス導入用仕切板１８の側縁部１８ａと第３ピース８側の内壁との間に形成されている気筒供給口１３ａ〜１３ｄの配列方向のほぼ全長に渡る間隙１８ｂからも、破線矢印のごとくサージタンク内空間３ａへと導入される。
【００２８】
サージタンク内空間３ａは流入したブローバイガスは、吸入空気流誘導板１６の存在により、直接、吸入空気流に曝されることはない。すなわち図２，３に一点鎖線矢印にて示すごとく、吸入空気導入部１２からサージタンク内空間３ａへ流入してくる吸入空気は、ガス導入口２４の直前で吸入空気流誘導板１６に誘導されることにより、吸入空気流はサージタンク内壁部分から次第に浮き上がり、ガス導入口２４よりも上方を通過することになる。
【００２９】
すなわち図５の(Ａ)に示すごとく、ブローバイガスは、サージタンク内空間３ａにおいて、吸入空気流誘導板１６の存在によって吸入空気導入部１２からの吸入空気流が直接流れ込まないことにより吸入空気流に直接影響されない空間（以下、吸入空気流非影響空間と称する）３ｂに導入されることになる。ガス導入用仕切板１８の側縁部１８ａとサージタンク内壁との間隙１８ｂから導入されるブローバイガスについても同じである。
【００３０】
したがってブローバイガスは、サージタンク内空間３ａにおいて吸入空気流非影響空間３ｂから吸入空気流が存在する空間（以下、吸入空気流空間と称する）３ｃへの移動は、穏やかな流れや拡散によりなされることになる。すなわちこのため吸入空気流非影響空間３ｂから吸入空気流空間３ｃへは両者の空間の境界面全体から穏やかな流れや拡散によりブローバイガスが移動する。すなわちブローバイガスはガス導入口２４や間隙１８ｂよりも広い範囲にて吸入空気流の中に分散してゆく。このためブローバイガスが偏ることなくかつ吸入空気中に均一に分散し、図２に示したごとく気筒供給口１３ａ〜１３ｄに吸い込まれ、導出路１４ａ〜１４ｄ（図１）を介して各気筒側に供給されることになる。
【００３１】
尚、図５の(Ａ)では、吸入空気流誘導板１６の先端は、ガス導入用仕切板１８の板面に垂直な方向から見て、ガス導入口２４の全面は覆っていない。ただし、ガス導入口２４からのブローバイガスの流速が高ければ、図５の(Ｂ)に示すごとく、吸入空気流誘導板１６にてガス導入口２４の上方全面を完全に覆うようにしても良い。このことによりガス導入口２４からのブローバイガスがその勢いにより吸入空気流中に直接入り込まないようにでき、偏ることなくかつ均一に吸入空気流にブローバイガスを分散できる。
【００３２】
逆にガス導入口２４からのブローバイガスの流速が低ければ、図５の(Ｃ)に示すごとく、吸入空気流誘導板１６にてガス導入口２４の上方は覆わず、吸入空気流誘導板１６は吸入空気流の誘導のみとしても良い。
【００３３】
以上説明した本実施の形態１によれば、以下の効果が得られる。
（イ）．第２ピース６と第３ピース８との接合により、ガス導入口２４及び間隙１８ｂの上流側に、上述したごとく下流に向かうにつれてサージタンク内壁から次第に剥離する吸入空気流誘導板１６が形成されている。このことによりサージタンク内空間３ａにおいてガス導入口２４の周辺及び間隙１８ｂの周辺に吸入空気流非影響空間３ｂが形成される。こうして、前述したごとく、サージタンク３に導入されたブローバイガスが十分に吸入空気に混合される前に気筒に供給されることがなく、吸入空気流非影響空間３ｂから吸入空気流空間３ｃへは両者の空間の境界面全体から穏やかな流れや拡散によりブローバイガスは移動する。このためブローバイガスが偏ることなく吸入空気中に均一に分散して気筒側に供給される。このため４気筒においても特定の気筒にブローバイガスが偏ることがない。
【００３４】
吸入空気流誘導板１６の配置は、ガス導入口２４や間隙１８ｂの上流側であれば良く、更に吸入空気流誘導板１６は吸入空気導入部１２の入口１２ａ（図４）に設ける必要はない。したがって吸入空気流誘導板１６とガス導入口２４や間隙１８ｂとの配置は、サージタンク内空間３ａでの広い範囲に適用することができる。
【００３５】
更にガス導入口２４と間隙１８ｂとを含めたガス導入口についても吸入空気流誘導板１６の下流であれば良く、更に吸入空気流誘導板１６の長さも任意に選択できることから、ガス導入口の形成位置は広い範囲に配置できるのでガス導入位置の自由度が高い。
【００３６】
このように本実施の形態のサージタンク内ガス導入装置は、ブローバイガスを吸入空気中に均一分散させると共にガス導入位置の自由度を高めることができる。このためサージタンク３を含めたインテークマニホールド２の設計の自由度が高くなり、狭いエンジンルーム内に配置してブローバイガスを導入することが容易となる。このことにより車両の軽量化にも貢献できる。
【００３７】
（ロ）．吸入空気導入部１２がカーブ状であり、吸入空気流誘導板１６は吸入空気導入部１２の下流端近傍におけるカーブ外周から略カーブ接線方向にサージタンク内空間３ａに先端が飛び出した状態で形成されている。このためサージタンク内壁に吸入空気流誘導板１６を設けても、吸入空気流の圧力損失を抑制できることから、燃費も良好に維持できる。
【００３８】
（ハ）．インテークマニホールド２は４つのピース４〜１０を接合したものであり、特にサージタンク内ガス導入装置を構成している吸入空気流誘導板１６については第３ピース８に形成され、ガス導入用仕切板１８については第２ピース６に形成されている。この第２ピース６と第３ピース８とが接合されることで、ガス導入口２４及び間隙１８ｂが形成されると共に、ガス導入口２４に対して吸入空気流誘導板１６が上流側から重なるように配置される。
【００３９】
このように吸入空気流誘導板１６とガス導入用仕切板１８とを別々のピース６，８に形成したものを一体化することにより、サージタンク内ガス導入装置が形成されているので、複雑な形状を単純なピース６，８の組み合わせとして形成できる。したがってサージタンク内ガス導入装置が容易に製造できる。
【００４０】
（ニ）．ガス導入用仕切板１８は気筒供給口１３ａ〜１３ｄの配列方向のほぼ全長に渡って形成され、下流側においてガス導入用仕切板１８の下側ではガス供給口２２ａが形成されている。このことによりピース６，８同士を接合するとガス導入用仕切板１８のガス導入用仕切板１８の側縁部１８ａが相手方の第３ピース８の内壁に近接することで気筒供給口１３ａ〜１３ｄの配列方向のほぼ全長に渡ってガス導入路２０が形成される。
【００４１】
この近接によりガス導入路２０には間隙１８ｂが存在するので、ブローバイガスがガス導入路２０に沿って少しずつ、サージタンク内空間３ａに流れ込む。この間隙１８ｂは吸入空気流誘導板１６の下方でかつ下流側にあり、吸入空気流は直接に接触しにくい位置にある。少なくとも吸入空気流誘導板１６に近い、上流側においては、間隙１８ｂは吸入空気流に曝されることはない。
【００４２】
このためガス導入路２０に沿って少しずつサージタンク３内に流れ込むブローバイガスが、吸入空気流に乱されずに穏やかに吸入空気流に混合されてゆく。したがってこのガス導入路２０へは、外部からのブローバイガスを上流から下流までのいずれの位置に供給しても、ブローバイガスを吸入空気中に均一分散させることができ、ガス導入位置の自由度を高める効果がより顕著となる。
【００４３】
（ホ）．各ピース４〜１０を樹脂にて成形することにより、上述したサージタンク３を備えたインテークマニホールド２を軽量なものとでき、更に射出成形などにより製造も容易となり、ピース４〜１０同士の接合も容易である。したがって内燃機関の重量化を抑制できるインテークマニホールド２を容易に製造できる。
【００４４】
［実施の形態２］
本実施の形態のサージタンク１０３では、図６の縦断面図、図７の横断面図及び図８の縦断面図に示すごとく、第３ピース１０８においては、吸入空気流誘導板１１６以外に間隙仕切板１１７が、第２ピース１０６側のガス導入用仕切板１１８の上方に突出して形成されている。このことにより、ガス導入口１２４近傍を除いて、第２ピース１０６側のガス導入用仕切板１１８と第３ピース１０８の内壁との間隙１１８ｂの上方は、全長に渡って間隙仕切板１１７にて覆われている。
【００４５】
このような構成により、吸入空気流誘導板１１６にて誘導された吸入空気流が図８の(Ａ)に示したごとく、間隙１１８ｂ方向に流れる状態であっても、間隙仕切板１１７により、直接に間隙１１８ｂからガス導入路１２０内に吸入空気流が流れ込むのを防止できる。このためガス導入路１２０から間隙１１８ｂを通過したブローバイガスは、間隙仕切板１１７とガス導入用仕切板１１８との間の全長に渡って、サージタンク内空間１０３ａへ流れ込む。
【００４６】
もしガス導入路１２０内部に吸入空気流が流れ込むと、ブローバイガスが押し込まれて、吸入空気流の下流側に偏った位置からサージタンク内空間１０３ａへブローバイガスが流れ込むことになり、気筒間でブローバイガスの量に偏りが生じる。
【００４７】
尚、図８の(Ｂ)のごとく間隙仕切板１１７をガス導入口１２４まで覆うようにしても良い。
第３ピース１０８以外の構成は、前記実施の形態１と同じである。
【００４８】
以上説明した本実施の形態２によれば、以下の効果が得られる。
（イ）．前記実施の形態１の効果を生じると共に、間隙仕切板１１７の存在により、吸入空気流が間隙１１８ｂからガス導入路１２０内に流れ込むことが阻止されて、前記実施の形態１の効果をより確実なものとできる。
【００４９】
［その他の実施の形態］
（ａ）．前記各実施の形態では、サージタンク内にブローバイガスを導入する例を示したが、これ以外の導入ガスにも適用できる。例えば、ＥＧＲのための内燃機関の排気の導入、燃料タンクからの燃料蒸発に由来する燃料蒸気、すなわち燃料タンクやその燃料蒸気を吸着しているキャニスターからの蒸発燃料ガスである。
【００５０】
このようなガスをサージタンク内の吸入空気中に導入するに際して、各実施の形態に述べたごとくガスを吸入空気中に均一分散できると共にガス導入位置の自由度を高めることができる。
【００５１】
（ｂ）．前記実施の形態１（図１〜５）において、ガス導入用仕切板１８の側縁部１８ａは相手方の第３ピース８の内壁に当接させることで、間隙１８ｂを設けないようにしても良い。この場合は、ガス導入口２４のみからのブローバイガス導入となるが、前記実施の形態１にてガス導入口２４の効果を述べたごとく、ブローバイガスをサージタンク内の吸入空気中に導入するにおいて、ブローバイガスを吸入空気中に均一分散できると共にガス導入位置の自由度を高めることができる。
【００５２】
（ｃ）．前記実施の形態２（図６〜８）では、第３ピース１０８には吸入空気流誘導板１１６と間隙仕切板１１７とを別々に設けたが、図９に示すごとく間隙仕切板を同じ高さにして一体化した形状の吸入空気流誘導板２１６のみでも、吸入空気流が間隙からガス導入路２２０内に吹き込むのを防止できる。この吸入空気流誘導板２１６により、ブローバイガスを吸入空気中に均一分散できると共にガス導入位置の自由度を高めることができる。
【００５３】
（ｄ）．前記実施の形態２（図６〜８）では間隙仕切板１１７をガス導入用仕切板１１８の上方に配置したが、間隙仕切板１１７をガス導入用仕切板１１８の下方に配置しても良い。このようにしても、ガス導入路１２０内への吸入空気流の浸入を困難にさせることができる。
【図面の簡単な説明】
【００５４】
【図１】実施の形態１のサージタンク内ガス導入装置が適用されたインテークマニホールドの外観を示す斜視図。
【図２】実施の形態１のサージタンクの要部を、気筒供給口の配列方向に垂直な面で切断して示す縦断面図。
【図３】実施の形態１のサージタンクの要部を、水平面で切断して示す横断面図。
【図４】実施の形態１のインテークマニホールドを第２ピースと第３ピースとの間で分解し展開して示す斜視図。
【図５】実施の形態１のサージタンクの要部における流動状態を、気筒供給口の配列方向に平行な鉛直面で切断して示す説明図。
【図６】実施の形態２のサージタンクの要部を、気筒供給口の配列方向に垂直な面で切断して示す縦断面図。
【図７】実施の形態２のサージタンクの要部を、水平面で切断して示す横断面図。
【図８】実施の形態２のサージタンクの要部における流動状態を、気筒供給口の配列方向に平行な鉛直面で切断して示す説明図。
【図９】その他の実施の形態のサージタンクの要部における流動状態を、気筒供給口の配列方向に平行な鉛直面で切断して示す説明図。
【符号の説明】
【００５５】
２…インテークマニホールド、３…サージタンク、３ａ…サージタンク内空間、３ｂ…吸入空気流非影響空間、３ｃ…吸入空気流空間、４，６，８，１０…ピース、４ａ，６ａ，６ｂ，８ａ，８ｂ，１０ａ…接合部、１２…吸入空気導入部、１２ａ…入口、１３ａ，１３ｂ，１３ｃ，１３ｄ…気筒供給口、１４ａ，１４ｂ，１４ｃ，１４ｄ…導出路、１６…吸入空気流誘導板、１８…ガス導入用仕切板、１８ａ…側縁部、１８ｂ…間隙、２０…ガス導入路、２２…ＰＣＶユニオン、２２ａ…ガス供給口、２４…ガス導入口、１０３…サージタンク、１０３ａ…サージタンク内空間、１０６，１０８…ピース、１１６…吸入空気流誘導板、１１７…間隙仕切板、１１８…ガス導入用仕切板、１１８ｂ…間隙、１２０…ガス導入路、１２４…ガス導入口、２１６…吸入空気流誘導板、２２０…ガス導入路。
【図１】
2008069755.tif 000003
【図２】
2008069755.tif 000004
【図３】
2008069755.tif 000005
【図４】
2008069755.tif 000006
【図５】
2008069755.tif 000007
【図６】
2008069755.tif 000008
【図７】
2008069755.tif 000009
【図８】
2008069755.tif 000010
【図９】
2008069755.tif 000011